(57)【要約】【課題】音響デバイス専用の通音部を電子機器の外部面に設けずに済む部材を提供すること。【解決手段】第１の態様においては、部材は、ユーザ操作を受け付ける操作部材の一部を収容する空間の少なくとも一部を画定する第１の面と、音響デバイスが設けられる第２の面とを有し、第１の面から第２の面に貫通する１以上の音孔を有する。第２の態様においては、電子機器は、部材と、操作部材と、を備える。第３の態様においては、部材は、電子機器に対するユーザ操作を受け付ける操作部材に対向して設けられる部材であって、操作部材に対向する面に形成された１以上の音孔を有する。【選択図】図２
2013141154.tif 000002
【特許請求の範囲】
【請求項１】
ユーザ操作を受け付ける操作部材の一部を収容する空間の少なくとも一部を画定する第１の面と、音響デバイスが設けられる第２の面とを有し、前記第１の面から前記第２の面に貫通する１以上の音孔を有する部材。
【請求項２】
前記部材は、前記第２の面における前記１以上の音孔を有する領域に前記音響デバイスを固定するリブをさらに有する
請求項１に記載の部材。
【請求項３】
前記リブにより固定された音響デバイス
をさらに備える請求項２に記載の部材。
【請求項４】
前記第２の面と前記音響デバイスとの間の、前記音響デバイスの周部に対応する位置に設けられたクッション部材
をさらに備える請求項２または３に記載の部材。
【請求項５】
前記音響デバイスと前記第２の面との間に設けられる防滴ネット
をさらに備える請求項２から４のいずれか一項に記載の部材。
【請求項６】
前記第２の面は、前記音響デバイスに対向する位置に凹部を有する
請求項２から５のいずれか一項に記載の部材。
【請求項７】
前記音響デバイスは、スピーカである
請求項２から６のいずれか一項に記載の部材。
【請求項８】
請求項１から７のいずれか一項に記載の部材と、
前記操作部材と、
を備える電子機器。
【請求項９】
前記操作部材は、ユーザ操作により回動し、
前記第１の面は、前記操作部材の回動面に対向する
請求項８に記載の電子機器。
【請求項１０】
前記操作部材は、回動軸から周部に向けて形成された１以上の溝を有する
請求項９に記載の電子機器。
【請求項１１】
電子機器に対するユーザ操作を受け付ける操作部材に対向して設けられる部材であって、
前記操作部材に対向する面に形成された１以上の音孔を有する部材。
【発明の詳細な説明】
【技術分野】
【０００１】
本発明は、部材および電子機器に関する。
【背景技術】
【０００２】
液晶パネルの画像表示面と同じ側の面に、スピーカと、スピーカから出る音を筐体の外部に放出するための音孔とを含むスピーカ部を含むカメラが知られている（例えば、特許文献１参照）。
［先行技術文献］
［特許文献］
［特許文献１］特開２００６−１９１１６３号公報
【発明の概要】
【発明が解決しようとする課題】
【０００３】
従来、音響デバイス専用の通音部を電子機器の外面部に設ける必要があった。
【課題を解決するための手段】
【０００４】
本発明の第１の態様においては、部材は、ユーザ操作を受け付ける操作部材の一部を収容する空間の少なくとも一部を画定する第１の面と、音響デバイスが設けられる第２の面とを有し、第１の面から第２の面に貫通する１以上の音孔を有する。
【０００５】
本発明の第２の態様においては、電子機器は、上述の部材と、操作部材と、を備える。
【０００６】
本発明の第３の態様においては、部材は、電子機器に対するユーザ操作を受け付ける操作部材に対向して設けられる部材であって、操作部材に対向する面に形成された１以上の音孔を有する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】一実施形態におけるカメラ１００の外観の一例を模式的に示す。
【図２】縦位置用コマンドダイヤル１０を設けた部位の模式断面図を示す。
【図３】スピーカ２３０の組み付けを模式的に説明する図である。
【図４】スピーカ２３０が組み付けられた状態の複合ユニット３００を模式的に示す。
【図５】筐体９０内に設けた状態の複合ユニット３００を模式的に示す。
【図６】回動面に平行な方向から見た複合ユニット３００を模式的に示す。
【図７】縦位置用コマンドダイヤル１０の露出部分を示す。
【図８】ＸＸ断面を模式的に示す。
【図９】ＹＹ断面を模式的に示す。
【図１０】Ｚ部を含む部分の拡大図を示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、一実施形態におけるカメラ１００の外観の一例を模式的に示す。カメラ１００は、撮像装置の一例としての一眼レフレックスカメラである。カメラ１００は、コマンドダイヤル２０、縦位置用コマンドダイヤル１０、縦位置用操作ボタン４０、マルチセレクタ３０、表示部８０、接眼部７０、および、レンズユニット１２０を備える。
【００１１】
コマンドダイヤル２０、縦位置用コマンドダイヤル１０、縦位置用操作ボタン４０、マルチセレクタ３０、表示部８０、および、接眼部７０は、カメラ１００の本体においてレンズユニット１２０が装着される側と反対側に設けられる。コマンドダイヤル２０、縦位置用コマンドダイヤル１０、マルチセレクタ３０、縦位置用操作ボタン４０は、カメラ１００に対するユーザ操作を受け付ける操作部材の一例である。
【００１２】
縦位置用コマンドダイヤル１０は、ユーザ操作によって回動する。カメラ１００は、縦位置用コマンドダイヤル１０の回動量に基づいてユーザ指示を特定する。例えば、カメラ１００は、縦位置用コマンドダイヤル１０の回動量に応じてシャッタ速度等を特定する。例えば、カメラ１００は、回動量とシャッタ速度の値とを対応づけて記憶している。そして、カメラ１００は、縦位置用コマンドダイヤル１０が回動された場合に、回動量に対応する値にシャッタ速度を変化させる。縦位置用コマンドダイヤル１０の回動面は、カメラ１００の横方向に対して実質的に直交するように設けられる。ユーザは、カメラ１００を縦位置にして構えた場合に、縦位置用コマンドダイヤル１０を指で容易に操作することができる。
【００１３】
縦位置用コマンドダイヤル１０は、筐体９０に設けた開口から一部が突出するように設けられる。本実施形態において、カメラ１００は、当該開口から音声が放出されるように筐体９０内に設けられたスピーカを有する。カメラ１００によれば、縦位置用コマンドダイヤル１０用に設けた開口を、外部への放音部として利用することができる。
【００１４】
縦位置用操作ボタン４０は、ユーザ操作によって押し込まれるボタン部材である。例えば、カメラ１００は、縦位置用操作ボタン４０の押し込みに応じて自動焦点調節（ＡＦ）動作を行う。ユーザは、カメラ１００を縦位置にして構えた場合に、縦位置用操作ボタン４０を指で容易に操作することができる。
【００１５】
コマンドダイヤル２０は、横位置用のコマンドダイヤルであり、縦位置用コマンドダイヤル１０と同様の機能を有する。コマンドダイヤル２０の回動面は、カメラ１００の横方向に対して実質的に平行に設けられる。ユーザは、カメラ１００を横位置にして構えた場合に、コマンドダイヤル２０を指で容易に操作することができる。
【００１６】
マルチセレクタ３０は、ユーザ操作によって押し込み可能に設けられる。マルチセレクタ３０は、ユーザが押し込み可能な複数の押し込み位置を有する。カメラ１００は、押し込まれた位置に基づいてユーザ指示を特定する。例えば、カメラ１００は、マルチセレクタ３０の押し込み位置に基づいて、フォーカスポイントを設定する。例えば、カメラ１００は、複数の押し込み位置を、複数の方向にそれぞれに対応して予め記憶している。カメラ１００は、マルチセレクタ３０が押し込まれた場合に、押し込み位置に対応する方向に、フォーカスポイント等を移動させる。なお、マルチセレクタ３０は、縦位置用コマンドダイヤル１０、コマンドダイヤル２０と同様に回動可能に設けられてよい。この場合、カメラ１００は、マルチセレクタ３０の回動量に応じて種々のユーザ指示を特定してよい。
【００１７】
表示部８０は、液晶等のモニタであってよい。表示部８０は、動画や静止画等の画像を表示する。画像データと音声データとが対応して記録されている場合、カメラ１００は、画像データに基づく画像を表示部８０に表示させつつ、音声データに基づく音声をスピーカから出力させる。また、ユーザは、接眼部７０を介して被写体を視認することができる。ユーザは接眼部７０を介して構図を確認することができる。
【００１８】
図２は、縦位置用コマンドダイヤル１０を設けた部分の模式断面図を示す。本図は、縦位置用コマンドダイヤル１０の回動軸を含む断面で切断した場合の模式図である。
【００１９】
筐体９０には、縦位置用コマンドダイヤル１０を設ける開口１１０が形成される。縦位置用コマンドダイヤル１０の一部は開口１１０から突出している。ユーザは、筐体９０から突出した部分を操作して縦位置用コマンドダイヤル１０を回動させることができる。
【００２０】
固定部材２７０および音孔部材２００は、筐体９０内に設けられる。筐体９０の内部空間は、筐体９０、固定部材２７０、音孔部材２００、および縦位置用コマンドダイヤル１０によって実質的に封鎖される。特に、開口１１０で形成された空間は、音孔部材２００によって少なくとも一部が画定される。このように、音孔部材２００は、筐体９０に形成された開口１１０に連通する空間の少なくとも一部を画定する。
【００２１】
固定部材２７０は、縦位置用コマンドダイヤル１０を回動可能に保持する。固定部材２７０は、縦位置用コマンドダイヤル１０を片軸で支持する。固定部材２７０は、縦位置用コマンドダイヤル１０の回動軸を受け入れる貫通孔を有する。縦位置用コマンドダイヤル１０の回動軸を提供する突出部分のうち当該貫通孔を通過した部分が、固定部材２７０に対して摺動する固定部材２８０で固定される。これにより、縦位置用コマンドダイヤル１０は、固定部材２７０に回動可能に固定される。
【００２２】
音孔部材２００は、縦位置用コマンドダイヤル１０に対向して設けられる。音孔部材２００は、縦位置用コマンドダイヤル１０に対向する面である外側面と、スピーカ２３０が設けられる内側面とを有する。外側面は、縦位置用コマンドダイヤル１０の回動面に対向する面である。音孔部材２００は、当該外側面に形成された複数の音孔２０２を有する。具体的には、音孔部材２００は、当該外側面から当該内側面に貫通する複数の音孔２０２を有する。
【００２３】
音孔部材２００は、内側面にスピーカ２３０を固定するリブ２０４を有する。音孔部材２００は、音孔が形成された領域の周囲にリブ２０４を有する。リブ２０４は、スピーカ２３０を収容する収容部を形成する。スピーカ２３０の放音面は、押さえ部材２４０で音孔部材２００に押さえつけられて収容部内に収容される。スピーカ２３０が収容部に収容された場合に、スピーカ２３０の放音面は、音孔部材２００において複数の音孔２０２が形成された領域に対向する位置に位置する。
【００２４】
スピーカ２３０の放音面には、通音性および防滴性を持つ防滴ネット２２０が設けられる。防滴ネット２２０は、クッション部材２１０によってスピーカ２３０に密着される。防滴ネット２２０およびクッション部材２１０については、後述する。
【００２５】
スピーカ２３０から放出された音声は、防滴ネット２２０および音孔２０２を通過して開口１１０から外部に放出される。このため、縦位置用コマンドダイヤル１０用の開口１１０は、スピーカ２３０からの音声を外部に放音する放音部としても機能する。このため、スピーカ２３０専用の放音部を筐体９０に設ける必要がない。
【００２６】
図示されるように、音孔部材２００の外側面は、開口１１０から筐体９０内に向けて続く空間を画定する一面を提供する。縦位置用コマンドダイヤル１０の一部は、当該空間に収容される。具体的には、音孔部材２００の外側面は、開口１１０で外部と連通する略凹状空間の内側面の一部を画定する。また、音孔部材２００は、筐体９０とともに、カメラ１００の構造部材として機能する。また、音孔部材２００に形成された音孔２０２の貫通方向は、開口１１０と実質的に直交する。このため、開口１１０に対向してスピーカ２３０を設けなくて済む。このため、スピーカ２３０を筐体９０内において比較的に自由に配置することができる。
【００２７】
図３は、スピーカ２３０の組み付けを模式的に説明する図である。複合ユニット３００は、カメラ１００において、ユーザ操作を受け付ける機能および音声を出力する機能を持つ。複合ユニット３００は、縦位置用コマンドダイヤル１０、固定部材２７０および固定部材２８０、音孔部材２００、スピーカ２３０、押さえ部材２４０、および、縦位置用コマンドダイヤル１０の回転量を検出する検出部の一例としてのロータリーエンコーダ２９０を有する。
【００２８】
音孔部材２００は、押さえ部材２４０に設けた鉤形の嵌合部２４６に嵌合する嵌合部２０６を有する。嵌合部２４６が嵌合部２０６に嵌合することで、押さえ部材２４０は、スピーカ２３０の放音面とは反対側の面からスピーカ２３０を音孔部材２００に押さえつける。これにより、スピーカ２３０の放音面は、リブ２０４内の音孔２０２を有する内側面に対向する位置に位置決めされる。
【００２９】
図４は、スピーカ２３０が組み付けられた状態の複合ユニット３００を模式的に示す。固定部材２７０は、ネジ止め部４００で筐体９０に固定される。これにより、複合ユニット３００全体が筐体９０に固定される。
【００３０】
図５は、筐体９０内に設けた状態の複合ユニット３００を模式的に示す。図６は、縦位置用コマンドダイヤル１０の回動面に平行な方向から見た複合ユニット３００を模式的に示す。
【００３１】
図１等に図示されるように、縦位置用コマンドダイヤル１０は、カメラ１００の右側下部に設けられる。カメラ１００の右側部分は、横位置で構えた場合にユーザがカメラ１００を把持し易い曲面形状を有する。また、横位置で構えた場合、カメラ１００の右側下部は、ユーザの掌で把持されることになる。このため、縦位置用の操作部材を除くと、カメラ１００の右側下部には操作部材はあまり設けられない。このため、カメラ１００の右側下部には、筐体９０の内部スペースに余裕が生まれる。カメラ１００においては、カメラ１００の右側下部のスペースにスピーカ２３０を設けることができる。したがって、筐体９０の内部のスペースを有効に利用することができる。
【００３２】
また、ユーザ操作性の観点やデザイン性の観点等から、カメラ１００の外面は曲面で形成される場合が多い。カメラ１００によれば、カメラ１００の外面にスピーカ専用の平面部を設ける必要がない。このため、スピーカの実装位置に大きな制約を受けることなく、カメラ１００の外面形状を決定できる。また、カメラ１００においては、カメラの外面に対向してスピーカを設ける場合と比較して、比較的に大型のスピーカ２３０を適用することができる。
【００３３】
図７は、縦位置用コマンドダイヤル１０の露出部分を示す。図８は、図７のＸＸ断面による切断面を模式的に示す。スピーカ２３０は、音声信号を入力する電極２３８を有する。電極２３８は、音声信号を出力する音声信号出力部と、音声信号を搬送する配線で電気的に接続される。スピーカ２３０は、電極２３８から入力された電気信号としての音声信号に基づいて空気を振動させて音波を生成する。
【００３４】
図９は、図７のＹＹ断面による切断面を模式的に示す。図１０は、図９のＺ部を含む部分の拡大図を示す。防滴ネット２２０は、スピーカ２３０の放音面に接して設けられる。クッション部材２１０は、音孔部材２００の内側面および防滴ネット２２０の間に設けられる。クッション部材２１０は、スピーカ２３０の周囲に対応して設けられる環状の部材であってよい。クッション部材２１０は、スピーカ２３０が押さえ部材２４０で押さえつけられることで弾性変形しつつ、音孔部材２００に密着する。また、クッション部材２１０は、スピーカ２３０が押さえ部材２４０で押さえつけられることで、少なくともスピーカ２３０の放音面の周囲において、防滴ネット２２０をスピーカ２３０に密着させる。これにより、開口１１０および音孔２０２を通って、スピーカ２３０を設けた内部空間に水が入り込むことを防ぐことができる。
【００３５】
また、クッション部材２１０により、スピーカ２３０の放音面と音孔部材２００との間に気室を形成することができる。気室を設けない場合と比較して、開口１１０から放出される音声の音質を高めることができる。
【００３６】
なお、本図の例では、音孔部材２００と防滴ネット２２０との間にクッション部材２１０を設けるとした。しかし、音孔部材２００とクッション部材との間に防滴ネットを設けてもよい。例えば、音孔部材２００の内側面に接して防滴ネットを設けてよい。そして、スピーカ２３０の放音面の周部にクッション部材を設けて、当該クッション部材で防滴ネット２２０を音孔部材２００に密着させてもよい。
【００３７】
このように、防滴ネット２２０は、スピーカ２３０と音孔部材２００の内側面との間に設けられる。また、クッション部材２１０は、スピーカ２３０と音孔部材２００の内側面との間に、スピーカ２３０の周部に対応する位置に設けられる。このため、防滴効果を保ちつつ、放音される音声の音質を高めることができる。
【００３８】
以上の説明では、クッション部材２１０によって、スピーカ２３０と音孔部材２００との間に気室を設けるとした。しかし、音孔部材２００の内側面に凹部を設けることで、スピーカ２３０の放音面と音孔部材２００の内側面との間に、気室が形成されるようにしてもよい。また、縦位置用コマンドダイヤル１０に、スピーカ２３０から放音された音声の通音路を提供する溝部を設けてもよい。例えば、縦位置用コマンドダイヤル１０の回動軸の位置から縦位置用コマンドダイヤル１０の周部に向けて形成された１以上の溝を有してよい。
【００３９】
以上の説明において、音孔部材２００は複数の音孔２０２を有するとした。しかし、音孔部材２００は１つの音孔を有してよい。すなわち、音孔部材２００は、１以上の音孔を有すればよい。
【００４０】
以上の説明において、縦位置用コマンドダイヤル１０に対応してスピーカ２３０を設けるとした。しかし、縦位置用コマンドダイヤル１０に代えてコマンドダイヤル２０に対応して音孔部材２００、クッション部材２１０、防滴ネット２２０およびスピーカ２３０と同様の部材を設けて、複合ユニットとしてよい。また、複合ユニット３００に加えて、音孔部材２００、クッション部材２１０、防滴ネット２２０およびスピーカ２３０と同様の部材をコマンドダイヤル２０に対応して設けて、更なる複合ユニットとしてもよい。
【００４１】
この場合、一方の複合ユニットが有するスピーカを右用（Ｒ用）の音声を出力するスピーカとし、他方の複合ユニットが有するスピーカを左用（Ｌ用）の音声を出力するスピーカとしてよい。これにより、ステレオの音声を出力できる。なお、スピーカが出力する音声は、右用の音声および左用の音声に限られない。例えば、高音域の音声および低音域の音声を出力してよい。また、出力する音声のチャンネル数は２ｃｈに限られない。複合ユニットを３以上設けて、３ｃｈ以上の音声出力ユニットとして適用してよい。
【００４２】
なお、スピーカを設ける部材としては、縦位置用コマンドダイヤル１０、コマンドダイヤル２０等に限られない。マルチセレクタ３０、縦位置用操作ボタン４０等、種々の操作部材に対応してスピーカを設けることができる。すなわち、スピーカを対応して設ける操作部材として、ダイヤル式、ボタン式、スライド式等、種々のメカニカルな操作方式の操作部材を適用できる。また、筐体９０との間の隙間を放音口として利用することができる部材であれば、操作部材の種類は上記の例に限られない。また、操作部材だけでなく、筐体９０との間に隙間を有する種々の部材に対応してスピーカを設けてもよい。また、縦位置用コマンドダイヤル１０等の操作部材自体に、スピーカを設けてもよい。
【００４３】
以上の説明では、音響デバイスの一例としてのスピーカ２３０を取り上げて説明した。しかし、音響デバイスとしては、スピーカ２３０の他に、マイクを例示することができる。すなわち、スピーカ２３０と同様に、コマンドダイヤル等に対応してマイクを設けてよい。例えばスピーカ２３０に代えてマイクを縦位置用コマンドダイヤル１０に対応して設けた場合、開口１１０を通音口として利用することができる。ユーザの声を録音するためのマイクであれば、スピーカ２３０と同様に、レンズユニット１２０が装着されない側の操作部材に対応して設けてよい。なお、環境音を集音するマイク等であれば、前面に設けたコマンドダイヤル等、レンズユニット１２０が装着される側の操作部材に対応してマイクを設けてよい。実質的に音響デバイス専用の通音部を筐体に設ける必要があった。
【００４４】
本実施形態において、撮像装置の一例として、一眼レフレックスカメラであるカメラ１００を例示した。しかし、撮像装置としては、レンズ交換式カメラとしての一眼レフレックスカメラ、ミラーレス式カメラ、レンズ非交換式カメラの一例であるコンパクトデジタルカメラ、ビデオカメラ、撮像機能付きの携帯電話機、撮像機能付きの携帯情報端末、撮像機能付きのゲーム機器等の娯楽装置等、撮像機能を有する種々の電子機器を適用の対象とすることができる。なお、電子機器は撮像装置に限られず、ＩＣレコーダ等の録音装置、携帯電話機、携帯情報端末、ゲーム機器や、テレビ、録画装置、デジタルフォトフレーム等の映像機器等、種々の電子機器を適用の対象とすることができる。
【００４５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４７】
１０  縦位置用コマンドダイヤル、２０  コマンドダイヤル、３０  マルチセレクタ、４０  縦位置用操作ボタン、７０  接眼部、８０  表示部、９０  筐体、１００  カメラ、１１０  開口、１２０  レンズユニット、２００  音孔部材、２０２  音孔、２０４  リブ、２０６  嵌合部、２１０  クッション部材、２２０  防滴ネット、２３０  スピーカ、２３８  電極、２４０  押さえ部材、２４６  嵌合部、２７０  固定部材、２８０  固定部材、２９０  ロータリーエンコーダ、３００  複合ユニット、４００  ネジ止め部
【図１】
2013141154.tif 000003
【図５】
2013141154.tif 000004
【図６】
2013141154.tif 000005
【図７】
2013141154.tif 000006
【図８】
2013141154.tif 000007
【図９】
2013141154.tif 000008
【図１０】
2013141154.tif 000009
【図２】
2013141154.tif 000010
【図３】
2013141154.tif 000011
【図４】
2013141154.tif 000012